(57)【要約】【課題】壁面にパネル材が取り付けられた際、パネル材の端部の装飾性を高める縦フレーム及びパネルの取付構造を提供せんとするものである。【解決手段】壁面Ｗに横方向に取付けられたパネル材１の左右両端部において、少なくともその一方の端部に配置される縦フレーム２であって、相対する２個の係止片３２を有し壁面に取付けられる係止部材４と、相対する２個係合片３１を有するフレーム本体３とを備え、前記係止部材４の係止片４１に係合片３１が係止されて、フレーム本体３が係止部材４に取付けられ、フレーム本体３の上面より外側に突出されたカバー片３３がパネル材１の端部上面を覆うようになされれれば、パネル材の端部の装飾性が高められる。【選択図】        図２
2007046377.tif 000002
【特許請求の範囲】
【請求項１】
壁面に横方向に取付けられたパネル材の左右両端部において、少なくともその一方の端部に配置される縦フレームであって、相対する２個の係止片を有し壁面に取付けられる係止部材と、相対する２個の係合片を有するフレーム本体とを備え、前記係止部材の係止片に係合片が係止されて、フレーム本体が係止部材に取付けられ、フレーム本体の上面より外側に突出されたカバー片がパネル材の端部上面を覆うようになされた特徴とする縦フレーム。
【請求項２】
係止部材は、パネル材の端部に配置された際に外側に位置する係止片の外側面に、フレーム本体の一方の係合片が係止され、この係合片により係止部材の外側面が覆われるようになされたことを特徴とする請求項１に記載の縦フレーム。
【請求項３】
壁面に横方向に取付けられたパネル材の左右両端部において、少なくともその一方の端部に前記請求項１又は２に記載の縦フレームを配置したことを特徴とするパネルの取付構造。
【請求項４】
２個の壁面が出会う入隅において、パネル材がそれぞれの壁面に取付けられた請求項４に記載のパネルの取付構造であって、一方の壁面に取付けられたパネル材の外側端部及び内側端部に縦フレームをそれぞれ配置し、もう一方の壁面に取付けられたパネル材にはその外側端部にのみ縦フレームを配置すると共に、縦フレームを配置しない内側端部を、この取付壁面と前記パネル材の内側端部に配置した縦フレームとの間に配置したことを特徴とするパネルの取付構造。
【発明の詳細な説明】
【技術分野】
【０００１】
本発明は、建築物の壁面に設けられるパネル材について、パネル材の端面に配置される縦フレーム及びパネルの取付構造に関するものである。
【０００２】
一般に、建築物の壁面の装飾性を高めるために、板材や化粧パネル等のパネル材が取付けられている。その取付工法には、一般には裏面に接着剤が塗布されたパネル材を壁面に貼着させる方法や、釘やビス等の固定具をパネル材の表面から壁面に貫通させて取付ける工法が知られている。前記のような取付工法では、パネル材の取付作業は比較的容易であるが、パネル材の取り外しはその作業性が悪いものであった。一方、壁面（躯体）に取付金具を設け、取付金具を介して、壁面にパネル材を取付けるがパネルの取付構造が提案されている（例えば、特許文献１参照。）。
【０００３】
この取付構造は、壁面に縦取付金具が横方向に間隔をあけて立設され、該縦取付金具どうしに亘って横取付金具が複数個設けられ、該横取付金具にパネル材が係止される係止部が設けられ、前記係止部に形成された係止部にパネル材が係止自在に取付けられ、パネル材が壁面に取付けられるパネルの取付構造である。
【特許文献１】特開２００２−２９４９７６号公報
【０００４】
しかしながら、前記のパネルの取付構造には次のような問題点があった。すなわち該パネルの取付構造では、端部の装飾は考慮されておらず、側面からはパネル材、縦取付金具、及び横取付金具が外部に露出したままであり、又、壁面の入隅にパネル材が配置される場合は、入隅を構成する２個のパネル材の端面を高精度に切断加工して組み合わせる必要があり、特に施工現場でパネル材を切断加工する場合は、そのような高精度の加工は困難であり、入隅部位に隙間が生じるおそれがあり、パネル材の端部の装飾性の点で問題があった。
【発明の開示】
【発明が解決しようとする課題】
【０００５】
本発明は、前記の如き問題点を解消し、壁面に取付けられた際におけるパネル材の端部の装飾性を高める縦フレーム及びパネルの取付構造を提供せんとするものである。
【課題を解決するための手段】
【０００６】
上記目的を達成するために、本発明は次のような構成としている。
すなわちこの発明に係る縦フレームは、壁面に横方向に取付けられたパネル材の左右両端部において、少なくともその一方の端部に配置される縦フレームであって、相対する２個の係止片を有し壁面に取付けられる係止部材と、相対する２個の係合片を有するフレーム本体とを備え、前記係止部材の係止片に係合片が係止されて、フレーム本体が係止部材に取付けられ、フレーム本体の上面より外側に突出されたカバー片がパネル材の端部上面を覆うようになされたことを特徴とするものである。
【０００７】
又本発明に係るパネルの取付構造は、壁面に横方向に取付けられたパネル材の左右両端部において、少なくともその一方の端部に前記の縦フレームを配置したことを特徴とするものである。
【発明の効果】
【０００８】
本発明によれば、パネル材の縁端部において高精度の加工がなされていない場合、例えば、施工現場でパネル材を切断加工なされた場合でも、パネル材の端部に本発明に係る縦フレームを配置することにより、縦フレームを構成するフレーム本体のカバー片によってパネル材の端部上面が覆われるので、パネル材の端部の装飾性が高められる。しかも、この縦フレームは、壁面に取付けられる係止部材とこの係止部材に係止されて取付けられるフレーム本体からなるので、予め係止部材を壁面に取付けておけば、フレーム本体は、パネル材を取付けた後に、取付けることができるので、その取付作業も容易である。
【０００９】
本発明に係る縦フレームにおいて、係止部材がパネル材の端部に配置された際に外側に位置する係止片の外側面に、フレーム本体の一方の係合片が係止され、この係合片により係止部材の外側面が覆われるようになされれば、係止部材が外部から隠蔽され、前記カバー片と相まって装飾性がさらに高まる。
【００１０】
又、本発明に係るパネルの取付構造おいて、特に２個の壁面が出会う入隅で、パネル材がそれぞれの壁面に取付けられ、一方の壁面に取付けられたパネル材の外側端部及び内側端部に縦フレームをそれぞれ配置し、もう一方の壁面に取付けられたパネル材はその外側端部にのみ縦フレームを配置すると共に、縦フレームを配置しない内側端部を、この取付壁面と前記パネル材の内側端部に配置した縦フレームとの間に配置すれば、入隅においてパネル材の端部が露出しないため、端部の装飾性が高まり、外観上は美麗に取付けられる。
【発明を実施するための最良の形態】
【００１１】
次に、本発明を実施するための最良の形態について図面を参照し、具体的に説明する。
【００１２】
すなわち、図１は本発明に係るパネルの取付構造において、実施の一形態を示す斜視図、図２は本発明に係る縦フレームの取付状態を示す断面図、図３は図２における主要部の拡大断面図、図４はパネル材の取付構造の実施の一形態を示す断面図、図５は図４における主要部の拡大断面図、図６は図４に示されたパネル材の斜視図、図７は図４に示された目地部材の取付状態を示す斜視図、図８は本発明に係るパネルの取付構造において、実施の他の形態を示す断面図、図９は図８に示された本発明に係る縦フレームの断面図、図１０は本発明にかかるパネルの取付構造において、実施の他の形態を示す断面図、図１１は本発明にかかるパネルの取付構造において、実施の他の形態を示す断面図、図１２は本発明にかかるパネルの取付構造において、実施の他の形態を示す分解斜視図である。
【００１３】
図面において、１はパネル材、２はパネル材１の端部に配置される縦フレーム、３はフレーム本体、４は係止部材であり、縦フレーム２はフレーム本体３及び係止部材４から構成されている。Ｗはパネル材１及び縦フレーム２が取付けられる壁面である。
【００１４】
図１及び図２に係るパネルの取付構造は、壁面Ｗに横方向に取付けられたパネル材１の両端部に縦フレーム２が配置されたものである。パネル材１は、パネル材１の剛性を保持する板材に表面装飾層１２が設けられたものであって、板材１１は、一般には、アルミニウム、ステンレス鋼等の金属板、ポリエチレン、ポリプロピレン等の合成樹脂板、木材や主に木材片からなる集積材、或いはこれら金属板、樹脂板等を組み合わせたものから形成されたものである。又表面装飾層１２を形成するには、板材に塗装を施してもよいし、フィルムやシートを貼着させてもよいが、表面装飾層を設けず板材をそのまま使用してもよい。更に、板材の裏面にグラスウールや発泡合成樹脂のような緩衝材を設け、断熱・遮音効果を付加させてもよい。
【００１５】
パネル材１の壁面Ｗへの取付方法は、図４のように、パネル材１は、パネル材１の裏面に断面コ字状の取付部材１１が取付けられ、壁面Ｗにビス等の取付具によって取付けられた目地部材１２に形成された断面コ字状の挿入溝１３に、前記取付部材１１の開放先端が挿入係止されて壁面Ｗに取付けられ、比較的容易に着脱されるようになされている。尚、パネル材１の壁面Ｗへの取付方法は、前記に限定されるものではなく、パネル材１の裏面に接着剤が塗布されたものを壁面４に貼着してもよいし、釘やビス等の取付具を用いてパネル材１をの壁面Ｗに取付けてもよい。
【００１６】
前記取付部材１１を更に図５及び図６により説明すると、取付部材１１は、パネル材１の裏面の上下端部に水平状に設けられ、長手方向に亘って形成された相対向する２個の側壁部１４を有する断面コ字状に形成され、又両側壁部１４の外側面先端は目地部材１２と係合するやじり状の係合条１５が形成されている。本形態では取付部材１１はビスでパネル材１に取付けられているが、釘等の任意の取付具や接着剤で取付けられ、特に限定されるものではない。
【００１７】
目地部材１２は、図４、図５、及び図７に示されるように、相隣り合う２個のパネル材１の間に設けられるものであって、パネル材１が取付けられるための挿入溝１３と、目地としてパネル端部を隠蔽する目地部１６とを有し、目地部１６の両側に挿入溝１３が形成されて、壁面Ｗに設けられている。挿入溝１３は断面コ字状であって、目地部材１２の長手方向に全長に亘り形成され、開放縁を広くし、奥へ行くに従って徐々に狭くなると共に、取付部材１１の開放先端の側壁部１４が嵌りこんで係合される係止部１７が設けられている。相対する係止部１７間の間隔は、取付部材１１の開放先端の係合条１５間の間隔とほぼ同程度とし、係合された取付部材１１が目地部材１２に対して不必要に遊動しないように止め部１８が設けられ、又挿入時に支障がないようになされている。本形態では目地部材１２はビスで壁面Ｗに取付けられているが、釘等の任意の取付具や接着剤で取付けられ、特に限定されるものではない。
【００１８】
前記取付部材１１及び目地部材１２の材質は、一般的にはアルミニウムや合成樹脂を押出成型して得られる長尺の型材を適宜長さに切断した部材からなるものであるが、アルミニウム以外の金属、または金属や無機材料と合成樹脂との複合材料、例えば合成樹脂に金属フイルムをラミネートしたもの、表面に着色がなされたもの等、取付部材の長さや必要な強度に応じて、適宜使用できる。
【００１９】
耐震性向上等を目的として、パネル材１と壁面４をより強固に固定させるために、取付部材１１の開放先端に形成された係合条１５を挿入溝１３の側壁方向へ押圧するばね材１９がコ字内部に挿入されてもよい。図４及び図５に示されたばね材Ｓは断面コ字状の板ばねからなり、ばね材Ｓは取付部材１１にのみ挿入されると共に、ばね材Ｓの両側片の先端が係合条１５を挿入溝１３の内壁方向へ押圧するようになされており、これによって、係合条１５を係止部１７により強く係合させている。又取付部材１１の両側の内壁面には突部１９が設けられ、該突部１９によりばね材Ｓの抜け止めがなされている。
【００２０】
縦フレーム２はフレーム本体３と係止部材４とを備え、フレーム本体３は、相対する２個係合片３１を備え、係合片３１の内壁面にはやじり状の係合突起３２が形成され、係止部材４と係合される。フレーム本体３には、その上面より外側に突出されたカバー片３３が形成され、図２及び図３に示された形態では、前記カバー片３３は、フレーム本体の上面より水平部３４が突出されると共にその先端が係合片３１側に屈曲した屈曲部３５とからなる断面略Ｌ字状であり、縦フレーム２がパネル材１の端部に配置されると、フレーム本体３のカバー片３３がパネル材１の端部上面を覆うようになされている。尚、パネル材１の取付後、パネル材１の反り等の影響を抑えるために、屈曲部３５先端とパネル材１の端部上面との間に隙間が設けられている。前記屈曲部３５により、水平部３４とパネル材１の端部上面との間の隙間が覆われ、斜め方向からカバー片を見た場合の、意匠性も高められている。又、カバー片３３は、図８に示される形態のように、屈曲部３５が無く、水平部３４のみであってもよく、要は、カバー片３３がパネル材１の端部を覆う形状であればよい。
【００２１】
図２及び図３に示された縦フレーム２の係止部材４は、相対する２個の係止片４１が形成された基部４２を有し、前記係止片４１の外側面にはフレーム本体の係合突起３２と係合するための係止突起４３が設けられ、又、基部４２は壁面Ｗに当接されて取付けられ、更に基部４２の一側端よりパネル材１の端部に当接される当接片４４が突設されている。尚、パネル材１が取付部材１１及び目地部材１２等を介して壁面Ｗに取付けられる際は、当接片４４は、これら取付部材１１又は目地部材１２の左右端面と当接されるように、すなわち位置決めとして配置させてもよい（図示せず。）。更に、当接片４４と一方の係止片４１との間に形成された係止溝４５に一方の係合片３１が挿入係止されるようなされ、又、他方の係合片３１はもう一方の係止片４１の外側面に係止されるようになされている。尚、本形態では係止部材４はビスｃで壁面Ｗに固着されているが、釘等の任意の固着具や接着剤で固着され、特に限定されるものではない。
【００２２】
次に図８に示された形態について説明する。
上記の図８に示された縦フレーム２の形態においては、縦フレーム２の係止部材４は直接壁面にビスｃで固着されているのに対して、この形態の縦フレーム２は、係止部材４が壁面Ｗに取付けられた目地部材１２と壁面Ｗと間に形成された隙間に差し込み係止された点において相違するのみでその他の点については、図２に示された形態と同様である。
【００２３】
すなわち、この形態に係る係止部材４においても、相対する２個の係止片４１を有し、係止片４１の外側面には、フレーム本体３の係合突起３２と係合するための係止突起４３が設けられている。又、基部４２には、相対する２個の差込片４６が側方に突出して設けられ、この差込片４６が壁面Ｗと壁面Ｗに取付けられた目地部材１２との間に形成された隙間、すなわち壁面Ｗと目地部材１２の壁面Ｗ側に開口した差込溝５１の底部５２との間に差込み係止させることにより、係止部材４は壁面Ｗに取付けられるようになされている。
【００２４】
又、差込片４６の基端の外側面には当接片４７が設けられ、差込片４６が壁面Ｗと差込溝５１との間に差し込まれた際に、当接片４７が差込溝５１の底部５２の端面と当接されて定位置に固定される。更に、差込片４６の両外壁面には差込方向に対して垂直方向に山型の突条４８が複数個設けられ、両外壁面の突条４８の外幅は壁面Ｗと底部５２との間隔よりわずかに広くなるようになされ、差込片４６が差込係止された際の係止強度が増すようになされている。又、係止強度を増すために、２個の差込片の間に、両差込片を溝部の底部と壁面の方向へ押圧するばね材（図示せず。）を取付けてもよい。
【００２５】
フレーム本体２１及び係止部材３１は、一般的にはアルミニウムや合成樹脂を押出成型して得られる長尺の型材を適宜長さに切断した部材からなるものであるが、アルミニウム以外の金属、または金属や無機材料と合成樹脂との複合材料等、必要な長さや強度に応じて適宜使用できる。好ましくは、縦フレーム２のフレーム本体３及び係止部材４は、それぞれアルミ型材による一体成型がなされ、縦フレーム２がパネル材１の端部に取付けられる際に、フレーム本体３の外側面がパネル材１の端部上面及び係止部材４の外側面を覆うことによりパネル材１の端部の装飾性を高め、且つフレーム本体３の係合片３１において、外側の係合片３１は、フレーム本体３の外側面の端部に外観上一体に設けられ、係止部材４と係合されて、更に係止部材４と係合するために必要なばね性を備えたものである。
【００２６】
パネル材１の端部の装飾性を更に高めるために、パネル材１の表面装飾に合わせて、縦フレーム２のフレーム本体３の外側面を装飾してもよい。例えば、パネル材１の表面装飾に合わせたシート材をフレーム本体３の外側面に貼着させたり、あるいは、パネル材１の表面装飾に合わせた塗装をフレーム本体３の外側面に施したものをパネル材１の端部に配置してもよい。
【００２７】
図１０に係るパネルの取付構造は、２個の壁面Ｗ、すなわちＡ壁面ＷａとＢ壁面Ｗｂが出会う入隅で、Ａ壁面ＷａとＢ壁面Ｗｂにパネル材１が取り付けられた形態であり、すなわち、一方のＡ壁面Ｗａに取付けられたＡパネル材１ａの外側端部及び内側端部に縦フレーム２をそれぞれ配置し、もう一方のＢ壁面Ｗｂに取付けられたＢパネル材１ｂにはその外側端部にのみ縦フレーム２を配置すると共に、縦フレーム２を配置しない内側端部を、このＢパネル材１ｂを取付けるＢ壁面Ｗｂと、他方のＡ壁面Ｗａに取付けられた前記Ａパネル材１ａの内側端部に配置した縦フレーム２との間に配置されている。
【００２８】
又、Ａパネル材１ａの内側端部に配置された縦フレーム２は、そのＢパネル材１ｂとの対向面において、Ｂパネル材１ｂとの接触による傷等の発生を抑えるために、隅角をなくし傾斜面３６を形成している。尚、本形態は、パネル材１及び縦フレーム２の取付位置が入隅であり、２個のパネル材のうち１つは一方の端面にしか縦フレーム２を配置しないことが相違するのみで、その他の点については、図２に示された形態と同様である。又Ｂパネル材１ｂの縦フレーム２を配置しない内側端部は、Ａ壁面Ｗａに当接されていてもよいし、Ａパネル材の内側端部に配置された縦フレーム２により目立ちにくくなることから、Ａ壁面Ｗａに対して隔離していてもよい。
【００２９】
図１１に係るパネルの取付構造は、２個の壁面Ｗが出会う出隅で、それぞれの壁面Ｗにパネル材１が取り付けられたものであり、出隅に取付けられたパネル材１の端部には、それぞれに縦フレーム２が取付けられ、縦フレーム２により壁面Ｗの出隅が覆われた形態である。
【００３０】
尚、縦フレーム２の上端及び下端は、パネル材１の上側辺又は下側辺に一致させるのが外観上好ましい。そのために、図１２に示すように、パネル材１の上側辺又は下側辺に対して、縦フレーム２が長手方向へ位置ずれを起こさないように、縦フレーム２の上端及び下端（図示せず）に、固定金具５が取り付けられたものである。固定金具６は縦フレーム２及びパネル材１の上側辺又は下側辺に渡るように配置され、固定金具５は、縦フレーム２及びパネル材１に、ビスや釘等の取付具によって取付られる。本形態では、図面に示されるように縦フレーム２のフレーム本体３にビスｄが取付けられるように、フレーム本体の内側にビス穴３７が設けられている。この固定金具５により、位置ずれの防止が図れると共に、縦フレーム２１に外部から衝撃が加わっても、フレーム本体３が係止部材４から容易に外れることを防ぐことができる。
【００３１】
本発明に係るパネルの取付構造は、およそ次のように施工される。まず、図７に示すように、パネル材１の目地部材１２は、パネル材１の水平方向の長さに応じて、所定の長さで取り付けられ、パネル材１が上下方向に隣接して複数枚併設される場合は、目地部材１２は、パネル材１が取り付けられる間隔に合わせて壁面Ｗに併設される。次に、図６に示すように、取付部材１１をパネル材１の裏面の所定の位置に取付けられ、該取付部材１１を前記目地部材１２に係合させて、パネル材１が壁面Ｗに取付けられる。この後、縦フレーム２の係止部材が、前記パネル材１の端部に取付けられ、更に、縦フレーム２のフレーム本体３を、前記係止部材４と係合させ、縦フレーム２がパネル材１の端部に取付けられる。
【００３２】
又、図１０に示されるような壁面Ｗの入隅において、本発明に係るパネルの取付構造の取付方法は、およそ次のように施工される。まず、Ｂパネル材１ｂがＢ壁面Ｗｂに取り付けられ、続いて、縦フレーム２がＢパネル材１ｂの表面に沿って取付けられるように、縦フレーム２の係止部材４が、Ｂ壁面Ｗbに隣接するＡ壁面Ｗａに取付けられ、更に、パネル材１ａがＡ壁面Ｗａに取り付けられる。この後、Ａパネル材１ａの内側端部にフレーム本体３が取り付けられ入隅が形成される。更に、Ａパネル材１ａ及びＢパネル材１ｂの外側端部に縦フレーム２が取り付けられる。尚、パネルの取付構造における施工方法は、前記の方法に限られるものではなく、施工現場の状況に応じて適宜変更できる。
【産業上の利用可能性】
【００３３】
本発明によれば、壁面にパネル材を取り付ける際、パネルの縁端部において高精度の加工がなされていない場合、例えば、施工現場でパネル材を切断加工なされた場合でも、パネル材の端部に縦フレームが配置され、カバー片によってパネル材の端部上面が覆われるので、パネル材は外観上美麗に取付けられるため、例えば既設建築物の屋内壁面の表面装飾や、壁面の模様替えに好適に利用できる。
【図面の簡単な説明】
【００３４】
【図１】本発明に係るパネルの取付構造において、実施の一形態を示す斜視図である。
【図２】本発明に係る縦フレームの取付状態を示す断面図である。
【図３】図２における主要部の拡大断面図である。
【図４】パネル材の取付構造の実施の一形態を示す斜視図である。
【図５】図４における主要部の拡大断面図である。
【図６】図３に示されたパネル材の断面図である。
【図７】図３に示された目地部材の取付状態を示す斜視図である。
【図８】本発明に係るパネルの取付構造において、実施の他の形態を示す断面図である。
【図９】図８に示された本発明に係る縦フレームの断面図である。
【図１０】本発明にかかるパネルの取付構造において、実施の他の形態を示す断面図である。
【図１１】本発明にかかるパネルの取付構造において、実施の他の形態を示す断面図である。
【図１２】本発明にかかるパネルの取付構造において、実施の他の形態を示す分解斜視図である。
【符号の説明】
【００３５】
１    パネル材
１ａ  Ａパネル材
１ｂ  Ｂパネル材
１１  取付部材
１２  目地部材
１３  挿入溝
１４  側壁部
１５  係合条
１６  目地部
１７  係止部
１８  止め部
１９  突部
２    縦フレーム
３    フレーム本体
３１  係合片
３２  係合突起
３３  カバー材
３４  水平部
３５  屈曲部
３６  傾斜面
３７  ねじ穴
４    係止部材
４１  係止片
４２  基部
４３  係止突起
４４  当接片
４５  係合溝
４６  差込片
４７  当接片
４８  突条
５    固定金具
ｃ    ビス
ｄ    ビス
Ｓ    ばね材
Ｗ    壁面
Ｗａ  Ａ壁面
Ｗｂ  Ｂ壁面
【図１】
2007046377.tif 000003
【図２】
2007046377.tif 000004
【図３】
2007046377.tif 000005
【図４】
2007046377.tif 000006
【図５】
2007046377.tif 000007
【図６】
2007046377.tif 000008
【図７】
2007046377.tif 000009
【図８】
2007046377.tif 000010
【図９】
2007046377.tif 000011
【図１０】
2007046377.tif 000012
【図１１】
2007046377.tif 000013
【図１２】
2007046377.tif 000014